(57)【特許請求の範囲】
【請求項１】
容器本体の上側を覆う蓋体が前記容器本体に対して開閉自在に軸支されるとともに、前記蓋体の第１係合部と前記容器本体の第２係合部とが係合することで、前記容器本体と前記蓋体との閉止状態が保持され、前記容器本体に対して進退自在に装着されるフックピースを押動操作することで、前記蓋体の第１係合部と前記容器本体の第２係合部との係合が解除され、前記容器本体と前記蓋体との閉止状態が解除される化粧品容器であって、
前記容器本体は、前記第１係合部と前記第２係合部とが係合している状態において、前記第１係合部との間に第１間隙を形成する第１突部を、前記第１係合部の下側に備え、
前記フックピースは、フックピース主体と、前記フックピース主体に対して可撓部を介して形成され、前記第１間隙に対して進退自在に配設される当接片と、を備え、
前記容器本体と前記フックピースとの間には、前記当接片の両横に配置され、前記当接片が前記第１間隙から退出する方向に前記フックピースを前記容器本体に対して付勢するコイルバネを備え、
前記容器本体は、前記コイルバネの端部を差し込むための保持孔が形成され、前記コイルバネの容器本体側の端部を保持するとともに、前記コイルバネの前記容器本体側の端部の上側を隠蔽するバネ保持部を備え、
前記フックピースは、前記コイルバネのフックピース側の端部の上側を隠蔽するとともに、前記フックピースが進退する領域において、前記バネ保持部の上側を隠蔽する第２突部を備え、
前記バネ保持部は、上側に第１平坦部が形成されており、前記第２突部は、前記第１平坦部と対向する面に第２平坦部が形成されており、前記第１平坦部と前記第２平坦部は、相互に平行であり、
前記コイルバネの付勢に抗して、前記フックピースに押動操作を行うことにより、前記当接片が前記第１間隙に進入して前記蓋体の第１係合部を押上げ、前記蓋体の第１係合部と前記容器本体の第２係合部との係合が解除され、前記容器本体と前記蓋体との閉止状態が解除されることを特徴とする化粧品容器。
【請求項２】
請求項１に記載の化粧品容器であって、
前記フックピースは、前記当接片との間に前記容器本体の前記第１突部を案内する底板を、前記当接片の下側に備え、
前記容器本体は、前記フックピースの底板を案内する第２間隙を更に備え、
前記コイルバネは、伸縮方向の中心線が、前記底板よりも上側に位置することを特徴とする化粧品容器。
【発明の詳細な説明】
【技術分野】
【０００１】
本発明は、コンパクト等の化粧品容器に関する。
【背景技術】
【０００２】
従来、コンパクト等の化粧品容器として、容器本体の上側を覆う蓋体が容器本体に対して開閉自在に軸支されており、フックピースを押動操作することで容器本体と蓋体との閉止状態が解除されるものが知られている（例えば、特許文献１参照。）。特許文献１の化粧品容器では、蓋体の第１係合部と容器本体の第２係合部とが係合することで、容器本体と蓋体との閉止状態が保持される。フックピースは容器本体に対して進退自在に装着されており、フックピースを押動操作することで、フックピースの一部が蓋体の第１係合部を押上げて蓋体の第１係合部と容器本体の第２係合部との係合が解除され、容器本体と蓋体との閉止状態が解除される。
【０００３】
このタイプの化粧品容器では、使用者は、化粧品容器を持ったほうの手でフックピースを押動操作することが多い。このため、フックピースの横幅が容器本体に対してある程度広いほうが、フックピースに指が当たりやすくなり、押動操作を行いやすくなる。例えば特許文献２には、フックピースの横幅を容器本体に対して広くした化粧品容器が記載されている。
【０００４】
しかしながら、フックピースの横幅を広くすると、蓋体の閉止状態を解除しにくくなるという問題がある。この問題は、フックピースの横幅が広いと、使用者がフックピースの外側寄りの位置を押動操作しやすくなること、及び、フックピースの横幅が狭い場合と比較してフックピースの水平方向での傾きが大きくなることによる。
【０００５】
これを図を用いて説明する。図７は、フックピース１３１の横幅を広くした化粧品容器２００のフックピース１３１付近の平面図である。この化粧品容器２００では、図７Ａに示すように、容器本体１１１側の第２係合部１５１に蓋体（図示せず）が係合することで、容器本体１１１と蓋体との閉止状態が保持される。そして、図７Ｂに示すように、使用者がフックピース１３１の中心付近を押動操作することで、フックピース１３１は正常に所定のストローク分押し込まれる。この場合、フックピース１３１の当接片１３５は蓋体（図示せず）を押し上げ、蓋体と容器本体１１１の第２係合部１５１との係合が解除され、容器本体１１１と蓋体との閉止状態が正常に解除される。
【０００６】
一方、図７Ｃに示すように、例えばフックピース１３１の図示右端付近を押動して操作すると、フックピース１３１が容器本体１１１に対して水平方向に傾いて、フックピース１３１の右側だけが押し込まれた状態となる。フックピース１３１の左側は押し込まれていない状態である。フックピース１３１の右側は奥まで押し込まれており、フックピース１３１の同じ位置を更に強く押動してもフックピース１３１をこれ以上押し込むことはできない。このため、図７Ｃの状態では、フックピース１３１の当接片１３５は、蓋体を正常に押し上げることができない。よって、蓋体と容器本体１１１の第２係合部１５１との係合は解除されず、容器本体１１１と蓋体との閉止状態は解除されない。
【先行技術文献】
【特許文献】
【０００７】
【特許文献１】特開２００５−２４５９４９号公報
【特許文献２】特開２００２−５８５２５号公報
【発明の概要】
【発明が解決しようとする課題】
【０００８】
このように、フックピースの横幅を広くすると、フックピースが水平方向に傾きやすくなり、蓋体の閉止状態を解除しにくくなる。この問題を解消するため、次のような対策を採ることが考えられる。例えば、使用者がフックピースの外側寄りの位置を押動操作した場合でもフックピースが水平方向に傾きにくくしたり、フックピースが傾いた状態で押し込まれても容器本体と蓋体との閉止状態が解除できるよう、フックピースのストロークを増やして余裕を持たせる、といった対策である。
【０００９】
その点、特許文献２の化粧品容器では、フックピースが水平方向に傾くことを防止するため、フックピースの下部に板バネ部を一体に設けている（段落００１８参照。）。しかしながら、特許文献２では、板バネ部はフックピースの中央部から左右両端方向に延設されており、板バネ部による付勢力はフックピースの中央部に作用する。このため、フックピースの水平方向の傾きを抑える作用は弱く、フックピースが水平方向に傾くことを防止できない。
【００１０】
また、特許文献２の化粧品容器に対しては、フックピースの進退方向のストロークを増やすことも困難である。これは、特許文献２の化粧品容器では、フックピースに板バネ部を一体形成しているため、フックピースが大型化するという問題があるためである（特許文献２の図３参照。）。フックピースの大型化は、化粧品容器の大型化や、化粧品の内容量を確保できなくなるという問題を生じさせている。そして、フックピースの進退方向のストロークを増やすと、これらの問題が更に顕著になる。その理由を以下に説明する。
【００１１】
特許文献２の化粧品容器のように、フックピースに板バネを一体形成する場合、板バネ部の長さを確保するため板バネ部はフックピースの中央部に設けられる。また、フックピースに可撓部を介して当接片（特許文献２における先端部分２４ａ）を設けるため、フックピースの中央部にはフックピースを上下方向に規制するための底板（特許文献２における底板２２ａ）が必要である。そして、フックピースの中央部に設けられる板バネ部と当接片との干渉を回避するため、板バネ部は底板（特許文献２における底板２２ａ）の先端に延設される。
【００１２】
板バネ部を底板の先端に延設するため、特許文献２のフックピースは、板バネ部を持たない化粧品容器（特許文献１参照。）のフックピースと比較して、前後方向（フックピースの進退方向）の寸法が大きくなる。フックピースが大型化すると、フックピース周辺の構成も大型化するため、化粧品容器が大型化したり、化粧品の内容量を確保することが困難になる。つまり、特許文献２の化粧品容器のように、板バネ部を底板に一体形成すると、このような問題が生じるのである。その上、フックピースの進退方向のストロークを増やすには、板バネ部を更に大型化してフックピースを大型化しなければならず、上記の問題が更に顕著になる。よって、特許文献２の化粧品容器では、フックピースの進退方向のストロークを増やす対策を採ることは困難である。
【００１３】
以上より、特許文献２の化粧品容器のように、板バネ部をフックピースに一体形成している化粧品容器では、フックピースの横幅を広くすると、蓋体の閉止状態を解除しにくくなるという問題があり、これを解消することもできなかった。
【００１４】
また、別の問題として特許文献２の化粧品容器では、フックピースに一体形成した板バネ部が容器本体の上側に露出している。このため、化粧品容器の外観体裁が良好でなく、更に、この部分に化粧料等が詰まりフックピースの作動が阻害されるという問題がある。
【００１５】
本発明は、上記課題を解決すべくなされたものである。本発明の第１の目的は、フックピースを大型化させることなく、フックピースの外側寄りの位置で押動操作しても、確実に蓋体の閉止状態を解除できる化粧品容器を提供することである。本発明の第２の目的は、外観体裁が良好で、かつフックピースと容器本体との間に化粧料等が詰まりにくく、フックピースが確実に作動する化粧品容器を提供することである。
【課題を解決するための手段】
【００１６】
本発明の解決しようとする課題は以上の如くであり、次にこの課題を解決するための手段を説明する。
【００１７】
即ち、第１の発明の化粧品容器は、容器本体の上側を覆う蓋体が前記容器本体に対して開閉自在に軸支されるとともに、前記蓋体の第１係合部と前記容器本体の第２係合部とが係合することで、前記容器本体と前記蓋体との閉止状態が保持され、前記容器本体に対して進退自在に装着されるフックピースを押動操作することで、前記蓋体の第１係合部と前記容器本体の第２係合部との係合が解除され、前記容器本体と前記蓋体との閉止状態が解除される化粧品容器であって、
前記容器本体は、前記第１係合部と前記第２係合部とが係合している状態において、前記第１係合部との間に第１間隙を形成する第１突部を、前記第１係合部の下側に備え、
前記フックピースは、フックピース主体と、前記フックピース主体に対して可撓部を介して形成され、前記第１間隙に対して進退自在に配設される当接片と、を備え、
前記容器本体と前記フックピースとの間には、前記当接片の両横に配置され、前記当接片が前記第１間隙から退出する方向に前記フックピースを前記容器本体に対して付勢するコイルバネを備え、
前記容器本体は、前記コイルバネの端部を差し込むための保持孔が形成され、前記コイルバネの容器本体側の端部を保持するとともに、前記コイルバネの前記容器本体側の端部の上側を隠蔽するバネ保持部を備え、
前記フックピースは、前記コイルバネのフックピース側の端部の上側を隠蔽するとともに、前記フックピースが進退する領域において、前記バネ保持部の上側を隠蔽する第２突部を備え、
前記バネ保持部は、上側に第１平坦部が形成されており、前記第２突部は、前記第１平坦部と対向する面に第２平坦部が形成されており、前記第１平坦部と前記第２平坦部は、相互に平行であり、
前記コイルバネの付勢に抗して、前記フックピースに押動操作を行うことにより、前記当接片が前記第１間隙に進入して前記蓋体の第１係合部を押上げ、前記蓋体の第１係合部と前記容器本体の第２係合部との係合が解除され、前記容器本体と前記蓋体との閉止状態が解除されることを特徴とする化粧品容器である。
【００１８】
第２の発明の化粧品容器は、第１の発明の化粧品容器であって、
フックピースは、当接片との間に容器本体の第１突部を案内する底板を、当接片の下側に備え、
容器本体は、フックピースの底板を案内する第２間隙を更に備え、
コイルバネは、伸縮方向の中心線が、底板よりも上側に位置するようにする。
【発明の効果】
【００２１】
本発明の効果として、以下に示すような効果を奏する。
【００２２】
第１の発明の化粧品容器によれば、容器本体とフックピースとの間には、当接片の両横に配置され、当接片が第１間隙から退出する方向にフックピースを容器本体に対して付勢するコイルバネを備える。フックピースの当接片の両横にコイルバネを配置するため、特許文献２に記載された化粧品容器のように、フックピースの下部に板バネ部を延設した場合と比較して、フックピースが大型化することを防止することができる。このため、フックピースの進退方向のストロークを増やして余裕を持たせることができ、フックピースが水平方向に少々傾いた状態で押し込まれても容器本体と蓋体との閉止状態を確実に解除できるようにすることができる。
また、フックピースの当接片の両横にコイルバネを配置することで、コイルバネによる付勢力はフックピースの中央部ではなく外側寄りの位置に作用する。このため、フックピースの水平方向の傾きを抑える作用が発揮され、フックピースが水平方向に傾くことをある程度抑えることができる。
更に、フックピースを押動操作する際には、フックピースを滑らかに押し込むことができ、フックピースから指を離すとコイルバネの復元力でフックピースが確実に元の位置に戻るため、フックピースの使用感を向上させることができる。
【００２３】
また、容器本体側のバネ保持部とフックピース側の第２突部とが、フックピースが進退する領域において重なるため、フックピースの当接片の両横に配置したコイルバネは、容器本体の上側に露出することがない。このため、外観体裁が良好で、かつフックピースのコイルバネに化粧料等が詰まりにくく、フックピースが確実に作動する化粧品容器とすることができる。
【００２４】
また、バネ保持部の第１平坦部と第２突部の第２平坦部は、相互に対向しており、かつ平行である。このため、フックピースを押動操作する際に、第１平坦部と第２平坦部が接触することにより、フックピースの進退方向への傾きを抑制する。よって、フックピースを押動操作する際に、フックピースの上部及び下部がフックピースの進退方向に傾きにくく安定しており、使用感が良好である。
【００２５】
第２の発明の化粧品容器によれば、コイルバネは、伸縮方向の中心線が、フックピースに形成した底板よりも上側に位置するようにしている。この点、特許文献２に記載された化粧品容器では、板バネ部は、フックピースの上下方向における最下部に設けられている。このため、特許文献２に記載された化粧品容器では、フックピースを押動操作する際に、フックピースの上部がフックピースの進退方向に不安定で傾きやすく、使用感が良好でない。一方、第２の発明の化粧品容器によれば、コイルバネの伸縮方向の中心線は、フックピースの上下方向における略中心付近に位置することとなる。このため、フックピースを押動操作する際に、フックピースの上部及び下部がフックピースの進退方向に安定していて傾きにくく、使用感が良好である。
【図面の簡単な説明】
【００２６】
【図１】本発明の実施例１に係るコンパクト容器１００の平面図。
【図２】図１のＡ−Ａ線における断面図。
【図３】図２のフックピース３１付近の拡大断面図であって、（Ａ）容器本体１１と蓋体２１とが閉止した状態（Ｂ）容器本体１１と蓋体２１との閉止状態が解除された状態。
【図４】（Ａ）容器本体１１の凹部１４付近の平面図（Ｂ）容器本体１１の凹部１４付近の正面図。
【図５】容器本体１１の凹部１４にコイルバネ６１を配置した状態を示す平面図。
【図６】（Ａ）容器本体１１の凹部１４にコイルバネ６１及びフックピース３１を装着した状態を示す平面図（Ｂ）（Ａ）のＢ−Ｂ線における断面図。
【図７】フックピース１３１の横幅を広くした化粧品容器２００のフックピース１３１付近の平面図。
【発明を実施するための形態】
【００２７】
次に、発明の実施の形態について図を用いて説明する。
【実施例１】
【００２８】
本発明の実施例１に係る化粧品容器としてのコンパクト容器１００について、図１から図６を用いて説明する。まずコンパクト容器１００の概略構成について説明する。図１、図２に示すように、コンパクト容器１００は、主として容器本体１１、蓋体２１、及びフックピース３１を備えている。容器本体１１は、コンパクト容器１００の基体をなす部分であり、化粧料や化粧用パフ等を収容する収容部１２が内部に形成されている。蓋体２１は容器本体１１の上側を覆う部分であり、一端部に設けられたヒンジ部１３によって容器本体１１に対して開閉自在に軸支されている。蓋体２１の内面には、鏡２２が設けられている。
【００２９】
図２、図３に示すように、ヒンジ部１３に対向する他端部には、蓋体２１の第１係合部４１と、容器本体１１の第２係合部５１とが設けられている。図３Ａに示すように、蓋体２１の第１係合部４１と容器本体１１の第２係合部５１とが係合することで、容器本体１１と蓋体２１との閉止状態が保持される。
【００３０】
フックピース３１は、容器本体１１に対して進退自在に装着される。図３Ｂに示すように、フックピース３１を押動操作することで、フックピース３１が蓋体２１の第１係合部４１を押上げ、蓋体２１の第１係合部４１と容器本体１１の第２係合部５１との係合が解除され、容器本体１１と蓋体２１との閉止状態が解除される。
【００３１】
続いてフックピース３１及びその周辺の構成について説明する。尚、本実施例において、容器本体１１と蓋体２１との閉止状態を保持又は解除する基本構成については、特開２００５−２４５９４９号公報（特許文献１）、及び特開２００２−５８５２５号公報（特許文献２）に開示された構成と略共通する。このため、共通する構成について先に概略構成を説明し、その後、本発明の特徴部分について説明する。また、説明を簡単にするため、図１、図２に示すように、化粧品容器のヒンジ部１３が設けられている端部側を後側、これに対向する端部側であってフックピース３１が設けられている端部側を前側とする。また、容器本体１１と蓋体２１とを閉止した状態で、容器本体１１側を下側、蓋体２１側を上側とする。更に、前側から後側を見た場合における横方向を左右方向とする。
【００３２】
図３に示すように、容器本体１１の前側には、凹部１４が形成されている。凹部１４は、フックピース３１が装着される部分である。凹部１４には、第２係合部５１が形成されている。一方、蓋体２１には、第１係合部４１が形成されている。第１係合部４１は、容器本体１１の第２係合部５１に対応する位置に形成されており、第２係合部５１と係合可能である。図３Ａに示すように、蓋体２１の第１係合部４１と容器本体１１の第２係合部５１とが係合することで、容器本体１１と蓋体２１との閉止状態が保持される。
【００３３】
容器本体１１の凹部１４には、また、第１突部５２が形成されている。第１突部５２は、第２係合部５１の下側において、前側へ突出するように形成されている。第１突部５２の上面には、傾斜面５３が形成されている。傾斜面５３は、後部側に向かうにしたがって上向きに傾斜するように形成されている。このため、第１突部５２は、蓋体２１の第１係合部４１と容器本体１１の第２係合部５１とが係合している状態において、第１係合部４１の下側であって、第１係合部４１との間に、第１間隙５４を形成する。凹部１４の底面には前後方向に案内溝５６が形成される。案内溝５６は、フックピース３１を案内する溝である。
【００３４】
フックピース３１は、フックピース主体３２と側壁３３を備えている。フックピース主体３２は、容器本体１１の凹部１４の上下方向の高さと略等しく、左右方向の長さも略等しい部材である。側壁３３は、フックピース主体３２の左右の端部に形成されている。フックピース主体３２には、可撓部３４を介して当接片３５が形成されている。当接片３５は、フックピース３１を容器主体１１に対して進退させることにより、第１間隙５４に対して進退自在となる位置に配設される。フックピース主体３２の下側には、後部側に向けて形成される底板３６を備えている。底板３６は、当接片３５との間に容器本体１１の第１突部５２を案内する部分である。一方、容器本体１１には、底板３６を案内する第２間隙５５が形成されている。底板３６の下面には、凹部１４の案内溝５６に案内される案内突起３７が形成されている。
【００３５】
次に、フックピース３１を押動操作して容器本体１１と蓋体２１との閉止状態を解除する場合について説明する。図３Ａに示す状態から、図３Ｂに示すように、使用者がフックピース３１を後部側に押動操作すると、フックピース３１は容器本体１１の凹部１４に沿って後部側へと水平移動する。同時に、当接片３５は、第１突部５２の上面の傾斜面５３に沿って摺動し、容器本体１１の第１突部５２と蓋体２１の第１係合部４１との間に形成された第１間隙５４に楔のように押し込まれていく。当接片３５が第１間隙５４に押し込まれていくことにより、当接片３５が蓋体２１の第１係合部４１を押し上げるように作用する。そして、蓋体２１の第１係合部４１と容器本体１１の第２係合部５１との係合が解除され、容器本体１１と蓋体２１との閉止状態が解除される。
【００３６】
以上が本実施例のコンパクト容器１００における容器本体１１と蓋体２１との閉止状態を保持又は解除する基本構成である。続いて、本発明の特徴部分について説明する。
【００３７】
本実施例のコンパクト容器１００は、容器本体１１とフックピース３１との間に一対のコイルバネ６１を備えている（図５、図６参照。）。コイルバネ６１を配置するため、図４に示すように、容器本体１１には、バネ保持部５７が形成されている。バネ保持部５７は、コイルバネ６１の容器本体１１側の端部を保持する部分である。バネ保持部５７は、容器本体１１の第２係合部５１の左右両側に設けられている。つまり、フックピース３１を容器本体１１に装着した状態において、コイルバネ６１がフックピース３１の当接片３５の両横に配置されるようになっている（図５、図６参照。）。
【００３８】
図４に示すように、バネ保持部５７は、容器本体１１から突出しており、コイルバネ６１の端部を差し込むための保持孔５７１が形成されている。このため、図５に示すように、バネ保持部５７の保持孔５７１にコイルバネ６１の端部を差し込むと、バネ保持部５７は、コイルバネ６１の容器本体１１側の端部の上側を隠蔽する。バネ保持部５７の上側の面には平坦な面である第１平坦部５７２が形成されている。
【００３９】
一方、図５、図６に示すように、フックピース３１には、フックピース主体３２の上側かつ左右両側に、第２突部３８が形成されている。第２突部３８は、フックピース３１を容器本体１１に装着した状態において、コイルバネ６１のフックピース３１側の端部の上側を隠蔽する位置に形成されている。また、図６Ｂに示すように、フックピース３１の第２突部３８は、容器本体１１のバネ保持部５７に上下方向に重なるように形成されている。このため、第２突部３８は、フックピース３１が前後方向に進退する領域において、バネ保持部５７の上側を隠蔽することとなる。第２突部３８の下側の面、すなわちバネ保持部５７の第１平坦部５７２と対向する面には、第１平坦部５７２と平行かつ平坦な面である、第２平坦部３８１が形成されている。
【００４０】
そしてコイルバネ６１は、フックピース３１を容器本体１１に装着した状態では、圧縮状態で装着され、フックピース３１の当接片３５が上述の第１間隙５４から退出する方向にフックピース３１を容器本体１１に対して付勢する。尚、コイルバネ６１のフックピース３１側の端部は、フックピース主体３２に当接している。コイルバネ６１が当接する部分を後部側に若干突出させて形成することにより、コイルバネ６１に予め圧縮し、復元力を強めることができる。
【００４１】
尚、本実施例で用いているコイルバネ６１の径は、フックピース主体３２の上下方向の寸法の１／２よりも大きく設定されている。そして、コイルバネ６１が容器本体１１とフックピース３１との間に装着された状態では、コイルバネ６１の伸縮方向の中心線６１Ｃは、フックピース３１の底板３６よりも上側に位置するように設定されている（図６参照。）。
【００４２】
使用者がコンパクト容器１００の蓋体２１を開ける場合には、コイルバネ６１の付勢に抗して、フックピース３１に押動操作を行うことにより、当接片３５が第１間隙５４に進入して蓋体２１の第１係合部４１を押上げ、蓋体２１の第１係合部４１と容器本体１１の第２係合部５１との係合が解除され、容器本体１１と蓋体２１との閉止状態が解除される。
【００４３】
以上説明した本実施例に係るコンパクト容器１００によれば、次のような効果を有する。
【００４４】
コンパクト容器１００の容器本体１１とフックピース３１との間には、当接片３５の両横に配置され、当接片３５が第１間隙５４から退出する方向にフックピース３１を容器本体１１に対して付勢するコイルバネ６１を備える。フックピース３１の当接片３５の両横にコイルバネ６１を配置するため、特許文献２に記載された化粧品容器のように、フックピース３１の下部に板バネ部を延設した場合と比較して、フックピース３１が大型化することを防止することができる。このため、フックピース３１の進退方向のストロークを増やして余裕を持たせることができ、フックピース３１が水平方向に少々傾いた状態で押し込まれても容器本体１１と蓋体２１との閉止状態を確実に解除できるようにすることができる。
【００４５】
また、フックピース３１の当接片３５の両横にコイルバネ６１を配置することで、コイルバネ６１による付勢力はフックピース３１の中央部ではなく外側寄りの位置に作用する。このため、フックピース３１の水平方向の傾きを抑える作用が発揮され、フックピース３１が水平方向に傾くことをある程度抑えることができる。
【００４６】
更に、フックピース３１を押動操作する際には、フックピース３１を滑らかに押し込むことができ、フックピース３１から指を離すとコイルバネ６１の復元力でフックピース３１が確実に元の位置に戻るため、フックピース３１の使用感を向上させることができる。
【００４７】
コンパクト容器１００のコイルバネ６１は、伸縮方向の中心線６１Ｃが、フックピース３１に形成した底板３６よりも上側に位置するようにしている。この点、特許文献２に記載された化粧品容器では、板バネ部は、フックピースの上下方向における最下部に設けられている。このため、特許文献２に記載された化粧品容器では、フックピースを押動操作する際に、フックピースの上部がフックピースの進退方向に不安定で傾きやすく、使用感が良好でない。一方、本実施例のコンパクト容器１００によれば、コイルバネ６１の伸縮方向の中心線６１Ｃは、フックピース３１の上下方向における略中心付近に位置することとなる。このため、フックピース３１を押動操作する際に、フックピース３１の上部及び下部がフックピース３１の進退方向に安定していて傾きにくく、使用感が良好である。
【００４８】
コンパクト容器１００の容器本体１１側のバネ保持部５７とフックピース３１側の第２突部３８とが、フックピース３１が進退する領域において重なるため、フックピース３１の当接片３５の両横に配置したコイルバネ６１は、容器本体１１の上側に露出することがない。このため、外観体裁が良好で、かつフックピース３１のコイルバネ６１に化粧料等が詰まりにくく、フックピース３１が確実に作動する。
【００４９】
バネ保持部５７の第１平坦部５７２と第２突部３８の第２平坦部３８１は、相互に対向しており、かつ平行である。このため、フックピース３１を押動操作する際に、第１平坦部５７２と第２平坦部３８１が接触することにより、フックピース３１の進退方向への傾きを抑制する。よって、フックピース３１を押動操作する際に、フックピース３１の上部及び下部がフックピース３１の進退方向に傾きにくく安定しており、使用感が良好である。
【００５０】
以上、本発明の実施の形態について説明したが、本発明は上記実施例に限定されるものではなく、様々な変更が可能である。例えば、本実施例のコンパクト容器１００は、平面形状が略長方形であるが、これに限定されず、楕円形や、長円形、円形の化粧品容器に本発明を適用することができる。
【００５１】
また、フックピース３１は、底板３６と第２突部３８を連結部材によって上下方向に連結することにより、フックピース３１の変形を抑えることができる。
【符号の説明】
【００５２】
１００    コンパクト容器
１１    容器本体
２１    蓋体
３１    フックピース
３２    フックピース主体
３３    側壁
３４    可撓部
３５    当接片
３６    底板
３７    案内突起
３８    第２突部
４１    第１係合部
５１    第２係合部
５２    第１突部
５３    傾斜面
５４    第１間隙
５５    第２間隙
５６    案内溝
５７    バネ保持部
６１    コイルバネ
【要約】
【課題】フックピースの外側寄りの位置で押動操作しても、確実に蓋体の閉止状態を解除できる化粧品容器を提供する。
【解決手段】容器本体１１に装着されるフックピース３１を押動操作することで、蓋体２１の第１係合部４１と容器本体１１の第２係合部５１との係合が解除され、容器本体１１と蓋体２１との閉止状態が解除される化粧品容器であって、容器本体１１は、第１係合部４１と第２係合部５１とが係合している状態において、第１係合部４１との間に、第１間隙５４を形成する第１突部５２を備える。フックピース３１は、フックピース主体３２に対して可撓部３４を介して形成され、第１間隙５４に対して進退自在に配設される当接片３５と、を備える。容器本体１１とフックピース３１との間には、当接片３５の両横に配置され、当接片３５が第１間隙５４から退出する方向にフックピース３１を容器本体１１に対して付勢するコイルバネ６１を備える。
【選択図】図６【図１】
0005173051.tif 000002
【図２】
0005173051.tif 000003
【図３】
0005173051.tif 000004
【図４】
0005173051.tif 000005
【図５】
0005173051.tif 000006
【図６】
0005173051.tif 000007
【図７】
0005173051.tif 000008